(57)【要約】【課題】プレーのリズムを崩すことなく、しかも、目的とするゴルフ携行品を瞬時に取り出すことができ、また、収納することのできるゴルフ携行品ホルダを提供する。【解決手段】ズボンのポケットに収容可能な形状に形成された板状の本体１と、本体１に形成されて携行品の一部を露出させた状態で収納できると共に取り出し可能に保持する保持部３，５，７，１７，１９，２１，２５，２７と、該保持部に保持された携行品の一部を指で把持した状態で前記携行品を把持していない指を支持できる本体１に形成された支持部１１，１７，３１と、を備えた。【選択図】          図１
2005000482.tif 000002
【特許請求の範囲】
【請求項１】
衣服のポケットに収容可能な形状に形成された板状の本体と、該本体に形成されて携行品の一部を露出させた状態で収納できると共に取り出し可能に保持する保持部と、該保持部に保持された携行品の一部を指で把持した状態で前記携行品を把持していない指を支持できる前記本体に形成された支持部と、を備えたことを特徴とするゴルフ用携行品ホルダ。
【請求項２】
本体の周縁部に、本体が衣服のポケットから抜け出すのを防止するストッパー部を形成したことを特徴とする請求項１記載のゴルフ用携行品ホルダ。
【請求項３】
保持部は、複数のティを、隣り合うティの頭部に手指が入る隙間を介して保持できることを特徴とする請求項１又は２記載のゴルフ用携行品ホルダ。
【請求項４】
保持部は、ティを保持するティ保持部、マーカーを保持するマーカー保持部、グリーンフォークを保持するグリーンフォーク保持部のうちいずれか１つ、または、２つ、または全部を備えてなることを特徴とする請求項１〜３のいずれかに記載のゴルフ用携行品ホルダ。
【請求項５】
本体の周縁部に、ポケット内を仕切るための壁部を設けたことを特徴とする請求項１〜４のいずれかに記載のゴルフ用携行品ホルダ。
【請求項６】
本体は可撓性を有する材料からなることを特徴とする請求項１〜５のいずれかに記載のゴルフ用携行品ホルダ。
【発明の詳細な説明】
【０００１】
【発明の属する技術分野】
本発明はゴルフに使用するティ、マーカー、グリーンフォーク等のゴルフ携行品の携帯と取り出しを容易にするゴルフ携行品ホルダに関するものである。
【０００２】
【従来の技術】
ゴルフプレーヤーはティ、マーカー、グリーンフォーク、ゴルフボール等を携帯してプレイしている。携帯の方法として、最も一般的なのは、ズボンのポケットに収容することである。しかし、ズボンのポケットにティ、マーカー、グリーンフォーク、ゴルフボール等をまとめて入れると、取り出時に必要なものを瞬時に取り出すことができない。例えば、ティにもウッド用の長尺のものと、アイアン用の短尺のものがあるが、これを瞬時に手指の感覚だけで、選別して取り出すのは難しい。そのため、複数のティを取り出した後、目視で確認して選別する必要がある。
【０００３】
そこで、ティ等の携行品を整理された状態で携帯して、目的の物を瞬時に取り出せるための考案がなされてる。
例えば、足首に装着されるバンド本体と、このバンド本体に設けられた小物入れ用ポケットと、バンド本体の両端部を係止する係止手段とを備えたゴルフ用小物入れが提案されている（例えば特許文献１参照）。
【０００４】
また、他の例として、ゴルフ用手袋にティ受納具を設けたものがある（例えば、特許文献２参照）。
【０００５】
【特許文献１】
実登３０４３４３８号公報
【特許文献２】
実登３０３３０００号公報
【０００６】
【発明が解決しようとする課題】
しかしながら、特許文献１の考案では、バンド本体が足首に装着されているので携行品を取り出す際に必ずかがまなくてはならず、身体的負担が大きい。そして、かかる身体的負担が精神面に影響して、プレーのリズムを崩すことにもなり、精神面がプレーに顕著に影響するゴルフにおいては好ましいものとは言えない。
この点、特許文献２の考案は、手袋にティを収容しておくのであるから、取り出し時にかがむ必要はない。
【０００７】
しかし、激しい動きをする手部に設けるために、スイングの時にティが外れてしまう危険がある。
また、手袋という狭いスペースであり、グリーンフォークなどを収納するにはスペースが足らないという問題もある。さらに、外部から視認されるので、いかにも初心者臭く見栄えが悪いという問題もある。
【０００８】
本発明は上記事情に鑑みてなされたものであり、プレーのリズムを崩すことなく、しかも、目的とするゴルフ携行品を片手で瞬時に取り出すことができ、また、片手で収納できるゴルフ携行品ホルダを提供することを目的としている。
【０００９】
【課題を解決するための手段】
本発明に係るゴルフ用携行品ホルダは、衣服のポケットに収容可能な形状に形成された板状の本体と、該本体に形成されて携行品の一部を露出させた状態で収納できると共に取り出し可能に保持する保持部と、該保持部に保持された携行品の一部を指で把持した状態で前記携行品を把持していない指を支持できる前記本体に形成された支持部と、を備えたものである。
【００１０】
また、本体の周縁部に、本体が衣服のポケットから抜け出すのを防止するストッパー部を形成したものである。
【００１１】
また、保持部は、複数のティを、隣り合うティの頭部に手指が入る隙間を介して保持できるものである。
【００１２】
保持部は、ティを保持するティ保持部、マーカーを保持するマーカー保持部、グリーンフォークを保持するグリーンフォーク保持部のうちいずれか１つ、または、２つ、または全部を備えてなるものである。
【００１３】
本体の周縁部に、ポケット内を仕切るための壁部を設けたものである。
【００１４】
本体は可撓性を有する材料からなることを特徴とするものである。
【００１５】
【発明の実施の形態】
以下、図を参照して本発明の実施の形態を説明する。図１は、本発明の一実施の形態の正面図、図２は同じく本実施の形態の平面図である。
本実施の形態のゴルフ用携行品ホルダは、図１，図２に示すように、略五角形の板状体の本体１からなる。そして、この本体１は、可撓性を有する樹脂性の２枚の板材を貼り合わせて形成されている。表面側の板材の正面図を図３に、表面側の板材の平面図を図４に、背面側の板材の正面図を図５に、背面側の板材の平面図を図６にそれぞれ示す。
以下、図１〜図６を参照して本実施の形態の構成を説明する。
【００１６】
略五角形の板状体の本体１の上辺側には長尺のティ（以下、「ウッドティ」という。）を挿入するウッドティ挿入孔３，５，７が形成されている。３つのウッドティ挿入孔３，５，７は同様の形状なので、ウッドティ挿入孔５を例に挙げて以下説明する。ウッドティ挿入孔５は、図１の矢視Ａ−Ａ断面図である図７に示すように、下端部が狭くなった細孔状に形成されている。ウッドティ挿入孔５の下端部を細孔状に形成することで、ウッドティの先端をしっかりと保持でき、ウッドティの抜け落ちを防止できる。
ウッドティ挿入孔５の入り口部には、ウッドティを挿入したときに、ウッドティの頭部の背面側が当接する壁９が形成されている。壁９はウッドティを挿入する際にウッドティを挿入孔５へガイドする機能を有する。
【００１７】
ウッドティ挿入孔５が形成された本体１の表面部には、図７に示すように、湾曲して突出した支持部１１が形成されている。この支持部１１は、ウッドティ挿入孔５に挿入されたウッドティを取り出すときに、ウッドティを把持していない手指を乗せてこれを支持するものである。なお、支持部１１の機能の詳細は、後述の使用方法の説明の項において説明する。
また、ウッドティ挿入孔５の入り口部には表面側に湾曲してた受部１３が形成されている。この受部１３を設けることで、挿入孔の入口が広がりウッドティの挿入をスムーズにできる。
【００１８】
ウッドティ挿入孔７の隣にはグリーンフォークを挿入するためのグリーンフォーク挿入孔１５が形成されている。グリーンフォーク挿入孔１５は、図１の矢視Ｂ−Ｂ断面図である図８に示すように、底部が狭くなる形状になっている。これによって、グリーンフォークを挿入したときに、グリーンフォークの先端が底部で固定され安定する。また、グリーンフォーク挿入孔１５の入口には表面側に屈曲する屈曲部１７が形成されている。屈曲部１７は、挿入したグリーンフォークを取り出すときに、手指を支持する部位となり、ウッドティを取り出す場合における支持部１１と同様の機能を有する。
【００１９】
本体１の中央部には、短尺のティ（以下、「アイアンティ」という。）を挿入するためのアイアンティ挿入孔１９、２１が形成されている。図１に示すように、アイアンティ挿入孔１９はウッドティ挿入孔３，５の間に、アイアンティ挿入孔２１はウッドティ挿入孔５，７の間に、それぞれ配置されている。アイアンティ挿入孔１９、２１は同様の形状なので、以下、アイアンティ挿入口２１を例に挙げて説明する。アイアンティ挿入孔２１は、図１の矢視Ｃ−Ｃ断面図である図９に示すように、前面から後方に傾斜して形成されている。そして、入り口部には、表面側に湾曲してた受部２３が形成されている。このような形状にすることで、アイアンティの挿入をスムーズにできる。
【００２０】
本体１中央やや右寄りには、マーカを挿入するためのマーカ挿入孔２５，２７が上下二段状に設けられている。マーカ挿入孔２５，２７は同様の形状なので、以下、マーカ挿入孔２７を例に挙げて説明する。マーカ挿入孔２７は、図１の矢視Ｄ−Ｄ断面図である図１０に示すように、略半円状の隙間からなるものである。そして、マーカ挿入孔２７を形成する本体１の表面側にはそのほぼ中央にマーカのピン周面を保持する略半円状の切り欠き部２９が設けられている。
【００２１】
本体１のやや左下部には、マーカ挿入孔２５，２７に挿入したマーカを取り出すときに、手指を支持するための帯状の凸部３１が設けられている。図１の矢視Ｅ−Ｅ断面図である図１１参照。
【００２２】
本体１の下部の二辺には鋸歯状の凹凸からなるストッパー部３３が形成されている。ストッパー部３３は、ポケットの内面に係止して本体１が衣服のポケットから抜け出すのを防止する。
【００２３】
さらに、本体１の片側の側部（図１における左側の側部）には、本体１の厚み方向に張り出すと共に本体１側に凹むように湾曲したボール隔壁３２が形成されている。ボール隔壁３２は、本体１をズボンのポケットに入れた状態で、ポケットの内部を仕切り、本体１側にボールが来るのを防止する。
このように、ボール隔壁３２を設けることで、ポケットの内部がボールの領域とゴルフ用携行品ホルダの領域に明確に仕切られる。これによって、ボールとゴルフ用携行品ホルダをポケットに入れた場合であっても、ボールが本体１側に来ることがなく、本体１への携行品の挿入の邪魔にならない。また、ボールと本体１が重ならないので、ポケットが膨らむこともない。
【００２４】
次に、上記のように構成された本実施の形態の使用状態について説明する。
図１２は使用状態を説明する説明図である。
ウッドティ挿入孔３，５には、ウッドティ３５が、また、アイアンティ挿入孔１９、にはアイアンティ３７がそれぞれ挿入されて保持される。挿入状態では、ティの頭部が露出した状態で保持される。そして、隣り合う各ティの頭部間には手指が入る隙間が形成されている。このようにすることで、ティの頭部を手指で把持してティを取り出すことができる。
【００２５】
グリーンフォーク挿入孔１５にはグリーンフォーク３９が挿入され、挿入状態ではグリーンフォークの把持部が露出した状態になっている。
マーカ挿入孔２５，２７には、マーカ４０が円形部４０ａを挿入孔に挿入することによって、保持されている。このとき、マーカ４０のピン４０ｂの周面が切り欠き部２９で支持される。
【００２６】
次に、上記のように構成された本実施の形態の使用方法について説明する。
本実施の形態のゴルフ携行品ホルダはズボンのポケットに入れて使用するものである。図１３は、ズボンのポケットに手を入れてゴルフ携行品ホルダからウッドティを取り出す方法の説明図である。
【００２７】
上段に挿入されたウッドティを取り出す際には、図１３に示すように、親指４５と中指４７でウッドティ３５の頭部を摘むように把持する。そして、人差し指４９を支持部１１に押し当て、この状態でウッドティ３５の頭部を摘んだ親指４５と中指４７によってウッドティ３５を上方に引き上げるようにする。このとき、ウッドティ３５の頭部を摘んだ親指４５と中指４７は支持部１１に押し当てた人差し指４９で支持されているので安定したスムーズな動きができる。また、本体１は人差し指４９によって押さえつけられるので、本体１をズボンのポケット内に留めた状態で、ウッドティを引き抜くことができる。
【００２８】
ウッドティを挿入口に入れる場合には、親指と中指でウッドティの頭部を把持して、ズボンのポケット内に入れる。この状態で、人差し指でウッドティの挿入口を手探りする。このとき、受部１３及び壁９が目標とする挿入口を探り当てる際の目印となる。目標とする挿入口を探り当てると、ウッドティの先端を目標とする挿入口に挿入する。この挿入の際には壁９が挿入のガイドとして機能する。
【００２９】
アイアンティに関しても、ほぼ同様に取り出し、挿入を行う。
【００３０】
次に、マーカーの取り出し方について、図１４を参照しながら説明する。ズボンのポケットに手を挿入して、手探りにて凸部３１を探り当て、凸部３１に中指４７、薬指５１及び小指５３を互いに密着させた状態で、各指の爪を凸部３１に乗せる。凸部３１に乗せた指で本体１を押さえながら人差し指４９を図１４の矢印で示す方向に移動して指の腹でマーカー４０のピン４０ｂを上に押し上げる。そして、人差し指４９と親指４５でピン４０ｂを摘むようにしてマーカー４０を把持して取り出す。
【００３１】
マーカー４０を挿入する場合には、マーカー４０のピン４０ｂを親指４５と人差し指４９で摘んだ状態で手をポケットに挿入する。この状態で、凸部３１に中指４７、薬指５１及び小指５３を互いに密着させた状態で、各指の爪を凸部３１に乗せる。そして、マーカー４０の円盤部４０ａを本体１上を滑らすように上から下に移動させることで、目的とするマーカ挿入孔２７に入れる。
このように、凸部３１の位置とマーカー挿入口の位置関係が決まっているので、マーカー取り出し、挿入の動きを定型化することができ、馴れると瞬時に目標とするマーカーの取り出し、挿入が可能となる。
【００３２】
グリーンフォークの取り出し挿入は基本的には、前述した、ウッドティの取り出し挿入と同様である。すなわち、取り出しの際には、グリーンフォークの把持部を親指と中指で摘み、人差し指で屈曲部１７を押さえるようにしてグリーンフォークを引き抜く。ウッドティの取り出しの際に人差し指で押さえる部位が凸部１１であったのに対してグリーンフォーク取出しの際には屈曲部１７である点が異なる。
この相違点は、グリーンフォークがウッドティよりも長尺であり、グリーンフォーク挿入孔９に挿入したときに、上方に突出する長さが長いため、人差し指の支持部をグリーンフォーク挿入孔９の入り口近傍に設ける必要があることに起因する。
【００３３】
グリーンフォークを挿入する場合は、グリーンフォークの把持部を親指と中指で摘んだ状態で手をポケットに入れ、人差し指で屈曲部１７を探り当て、壁部をガイドとして挿入口に差し入れる。
【００３４】
以上説明したように、本実施の形態においては、本体部に携行品挿入口を設け、かつ、携行品を取り出す際に手指を支持する支持部（支持部１１、屈曲部１７、凸部３１）を本体１に設けたので、この支持部で手指を支持できると共に本体１をポケット内で安定させることができ、片手で必要な携行品を瞬時に取り出し、また、挿入することができる。
【００３５】
なお、本体１の材質については、可撓性を有する例えば樹脂材などが好ましい。可撓性を有する材料を用いることで、しゃがんだりした際に、本体１が撓むことで、身体への違和感が緩和される。
なお、上記の説明では、携行品ホルダをズボンのポケットに入れる例を挙げたが、上着のポケットに入れて使用できることは言うまでもない。
【００３６】
【発明の効果】
本発明によれば、本体部に携行品挿入口を設け、かつ、携行品を取り出す際に手指を支持する支持部を本体に設けたので、この支持部で手指を支持できると共に本体１をポケット内で安定させることができ、片手で必要な携行品を瞬時に取り出し、また、挿入することができる。
【図面の簡単な説明】
【図１】本発明の一実施形態の正面図である。
【図２】本発明の一実施形態の平面図である。
【図３】本発明の一実施形態を構成する表面側プレートの正面図である。
【図４】本発明の一実施形態を構成する表面側プレートの平面図である。
【図５】本発明の一実施形態を構成する裏面側プレートの正面図である。
【図６】本発明の一実施形態を構成する裏面側プレートの平面図である。
【図７】図１の矢視Ａ−Ａ断面図である。
【図８】図１の矢視Ｂ−Ｂ断面図である。
【図９】図１の矢視Ｃ−Ｃ断面図である。
【図１０】図１の矢視Ｄ−Ｄ断面図である。
【図１１】図１の矢視Ｅ−Ｅ断面図である。
【図１２】本発明の一実施の形態の使用状態の説明図である。
【図１３】本発明の一実施の形態の使用方法の説明図である。
【図１４】本発明の一実施の形態の使用方法の説明図である。
【符号の説明】
１  本体、
３，５，７  ウッドティ挿入孔
９  壁
１１  支持部
１３  受部
１５  グリーンフォーク挿入孔
１７  屈曲部
１９、２１  アイアンティ挿入孔
２５，２７  マーカ挿入孔
３１  凸部
３２  ボール隔壁
３３  ストッパー部
【図１】
2005000482.tif 000003
【図２】
2005000482.tif 000004
【図３】
2005000482.tif 000005
【図４】
2005000482.tif 000006
【図５】
2005000482.tif 000007
【図６】
2005000482.tif 000008
【図７】
2005000482.tif 000009
【図８】
2005000482.tif 000010
【図９】
2005000482.tif 000011
【図１０】
2005000482.tif 000012
【図１１】
2005000482.tif 000013
【図１２】
2005000482.tif 000014
【図１３】
2005000482.tif 000015
【図１４】
2005000482.tif 000016